(57)【要約】  この明細書は、経路処理方法及び装置、並びに端末を開示する。経路処理方法では、ユーザ機器は、少なくとも１つの既存のパケットデータネットワーク（ＰＤＮ）接続に対応する接続パラメータ情報に基づいて、ターゲット接続条件を満たすターゲットＰＤＮ接続が前記少なくとも１つの既存のＰＤＮ接続内に存在するかどうかを判定できる。ターゲット接続条件を満たすターゲットＰＤＮ接続が存在する場合、ユーザ機器は、そのターゲットＰＤＮ接続を使用してサービスパケットを伝送し得る。ターゲット接続条件を満たすターゲットＰＤＮ接続が存在しない場合には、ユーザ機器は、ターゲットＰＤＮ接続の確立を開始し、その確立されたターゲットＰＤＮ接続を使用してサービスパケットを伝送し得る。このように、ユーザ機器は、サービスパケットを伝送する際に、ターゲット接続条件を満たすターゲットＰＤＮ接続を用いてサービスパケットを伝送し得る。したがって、サービス伝送品質が改善され、例えば、サービス伝送レイテンシが短縮される。
2019500827.tif 000002
【特許請求の範囲】
【請求項１】
経路処理方法であって、
少なくとも１つの既存のパケットデータネットワーク（ＰＤＮ）接続に対応する接続パラメータ情報に基づいて、ユーザ機器により、ターゲット接続条件を満たすターゲットＰＤＮ接続が前記少なくとも１つの既存のＰＤＮ接続内に存在するかどうかを判定するステップと、
前記ターゲット接続条件を満たす前記ターゲットＰＤＮ接続が存在する場合、前記ユーザ機器により、前記ターゲットＰＤＮ接続を使用してサービスパケットを伝送するステップと、又は前記ターゲット接続条件を満たす前記ターゲットＰＤＮ接続が存在しない場合には、前記ユーザ機器により、前記ターゲット接続条件を満たす前記ターゲットＰＤＮ接続の確立を開始し、前記確立されたターゲットＰＤＮ接続を使用してサービスパケットを伝送するステップと、
を具備することを特徴とする経路処理方法。
【請求項２】
前記接続パラメータ情報は、位置エリア、サービス特徴インジケータ、及び優先順位の少なくとも１つを具備し、前記優先順位は、前記ターゲットＰＤＮ接続として選択されたＰＤＮ接続の優先順位であることを特徴とする請求項１に記載の方法。
【請求項３】
前記ターゲット接続条件を満たす前記ターゲットＰＤＮ接続は、以下の条件のうちの１つ以上を満たす：
前記ターゲットＰＤＮ接続に対応する位置エリアは、前記ユーザ機器の現在位置であるか、又は前記ユーザ機器の現在位置を含み、
前記ターゲットＰＤＮ接続に対応するサービス特徴指標は、サービスフローにより要求されるサービス特徴条件を満たし、
前記ターゲットＰＤＮ接続は、最も高い優先順位を有する
ことを特徴とする請求項１又は２に記載の方法。
【請求項４】
前記少なくとも１つの既存のパケットデータネットワーク（ＰＤＮ）接続に対応する前記接続パラメータ情報は、各ＰＤＮ接続を確立するプロセスにおける制御プレーンネットワーク要素から取得されるか、または無線アクセスポイントのブロードキャストメッセージから取得されるか、または、アクセスネットワークディスカバリ及び選択機能（ANDSF）サーバから前記ユーザ機器により取得されることを特徴とする請求項１から３のいずれか一項に記載の方法。
【請求項５】
前記ユーザ機器により、前記ターゲット接続条件を満たす前記ターゲットＰＤＮ接続の確立を開始する前記ステップは、
前記ユーザ機器により、ＰＤＮ接続確立要求を制御プレーンネットワーク要素に送信するステップであって、前記ＰＤＮ接続確立要求は、前記ユーザ機器の現在位置を具備し、前記ユーザ機器の前記現在位置は、転送プレーンネットワーク要素の選択のために使用される、ステップ
を具備することを特徴とする請求項１から４のいずれか一項に記載の方法。
【請求項６】
プロセッサ、メモリ、及び通信インターフェースを具備するユーザ機器であって、
前記プロセッサは、ターゲット接続条件を満たすターゲットＰＤＮ接続が前記少なくとも１つの既存のＰＤＮ接続内に存在するかどうかを、少なくとも１つの既存のパケットデータネットワーク（ＰＤＮ）接続に対応する接続パラメータ情報に基づいて判定するように構成され、
前記メモリは、前記少なくとも１つの既存のＰＤＮ接続に対応する前記接続パラメータ情報を格納するように構成され、
前記プロセッサは、前記ターゲット接続条件を満たす前記ターゲットＰＤＮ接続が存在する場合、前記通信インターフェース及び前記ターゲットＰＤＮ接続を使用してサービスパケットを伝送するようにさらに構成され、
前記プロセッサは、前記ターゲット接続条件を満たす前記ターゲットＰＤＮ接続が存在しない場合には、前記通信インターフェースを使用して、前記ターゲット接続条件を満たす前記ターゲットＰＤＮ接続の確立を開始し、前記確立されたターゲットＰＤＮ接続を使用してサービスパケットを伝送するようにさらに構成されている
ことを特徴とするユーザ機器。
【請求項７】
前記接続パラメータ情報は、位置エリア、サービス特徴インジケータ、及び優先順位の少なくとも１つを具備し、前記優先順位は、前記ターゲットＰＤＮ接続として選択されたＰＤＮ接続の優先順位であることを特徴とする請求項６に記載のユーザ機器。
【請求項８】
前記ターゲット接続条件を満たす前記ターゲットＰＤＮ接続は、以下の条件の１つ以上を満たす：
前記ターゲットＰＤＮ接続に対応する位置エリアは、前記ユーザ機器の現在位置であるか、又は前記ユーザ機器の現在位置を含み、
前記ターゲットＰＤＮ接続に対応するサービス特徴指標は、サービスフローにより要求されるサービス特徴条件を満たし、
前記ターゲットＰＤＮ接続は、最も高い優先順位を有する
ことを特徴とする請求項６又は７に記載のユーザ機器。
【請求項９】
前記少なくとも１つの既存のパケットデータネットワーク（ＰＤＮ）接続に対応する前記接続パラメータ情報は、各ＰＤＮ接続を確立するプロセスにおける制御プレーンネットワーク要素から取得されるか、または無線アクセスポイントのブロードキャストメッセージから取得されるか、または、アクセスネットワークディスカバリ及び選択機能（ANDSF）サーバから前記ユーザ機器により取得されることを特徴とする請求項６から８のいずれか一項に記載のユーザ機器。
【請求項１０】
前記プロセッサが、前記通信インターフェースを使用して、前記ターゲット接続条件を満たす前記ターゲットＰＤＮ接続の確立を開始することは、具体的には、ＰＤＮ接続確立要求を制御プレーンネットワーク要素に送信することであり、前記ＰＤＮ接続確立要求は、前記ユーザ機器の現在位置を具備し、前記ユーザ機器の前記現在位置は、転送プレーンネットワーク要素の選択のために使用されることを特徴とする請求項６から９のいずれか一項に記載のユーザ機器。
【発明の詳細な説明】
【技術分野】
【０００１】
本発明は、通信技術の分野に関連し、特に、経路処理方法及び装置、並びに端末に関する。
【背景技術】
【０００２】
コアネットワークは、進化型パケットシステム（Evolved Packet System, EPS）の重要な部分である。コアネットワークの主要な論理ネットワーク要素は、モビリティ管理エンティティ（Mobility Management Entity, MME）、サービングゲートウェイ（Serving Gateway, S-GW）、パケットデータネットワークゲートウェイ（Packet Data Network Gateway, P-GW）、ホーム加入者サーバ（Home Subscriber Server, HSS）などを含み得る。P-GWは、外部データネットワークに接続されたゲートウェイであり、アクセスネットワークと非アクセスネットワークとの間のユーザプレーンアンカーである。具体的には、ユーザ機器は、P-GWを使用してパケットデータネットワーク（Packet data network, ＰＤＮ）接続を確立し、外部データネットワークにアクセスすることができる。ユーザ機器が移動するとき、ユーザ機器のIPアドレスとアップリンク及びダウンリンク経路は、ユーザの移動時にサービスの継続性を保証するために、P-GWのような転送プレーンデバイスに固定される必要がある。
【０００３】
しかし、実際には、ユーザ機器が移動する場合には、ユーザ機器のサービスパケット伝送経路がソース転送プレーンネットワーク要素に固定される必要があり、長いアップリンク及びダウンリンク経路になり、比較的長いネットワークレイテンシをもたらす。通信技術が発展するにつれて、ワイファイ（Wireless-Fidelity, Wi-Fi）、ワイマックス（Worldwide Interoperability for Microwave Access, WiMAX）、及び第３世代又は第４世代の移動通信技術（３Ｇ／４Ｇ）などのユーザ機器のためのブロードバンドアクセス技術が大幅に進歩した。さらに、EPSシステムは、ユーザ機器とＰＤＮネットワーク間の複数のＰＤＮ接続もサポートし、ユーザ機器が同時にターゲットノードへの複数のＰＤＮ接続を有することを可能にする。しかし、複数のＰＤＮ接続を有するユーザ機器では、サービスパケットの伝送品質を向上させるための複数のＰＤＮ接続から適切なＰＤＮ接続を選択する方法が緊急に解決される必要がある問題である。
【発明の概要】
【課題を解決するための手段】
【０００４】
本明細書は、ユーザ機器のための適切なＰＤＮ接続を選択してサービスパケット伝送品質を改善する、経路処理方法及び装置、並びに端末を開示する。
【０００５】
第１の態様によれば、本明細書は、経路処理方法を開示する。この方法では、ユーザ機器は、ターゲット接続条件を満たすターゲットＰＤＮ接続が前記少なくとも１つの既存のＰＤＮ接続内に存在するかどうかを、少なくとも１つの既存のパケットデータネットワーク（ＰＤＮ）接続に対応する接続パラメータ情報に基づいて判定し得る。前記ターゲット接続条件を満たす前記ターゲットＰＤＮ接続が存在する場合、前記ユーザ機器は、前記ターゲットＰＤＮ接続を使用してサービスパケットを伝送し得る。前記ターゲット接続条件を満たす前記ターゲットＰＤＮ接続が存在しない場合には、前記ユーザ機器は、前記ターゲット接続条件を満たす前記ターゲットＰＤＮ接続の確立を開始し、前記確立されたターゲットＰＤＮ接続を使用して、サービスパケットを伝送する。
【０００６】
前記ユーザ機器の移動により、ハンドオーバが発生する場合、又は前記ユーザ機器が新たなサービスフローを開始する場合、前記ユーザ機器は、前記第１の態様における前記経路処理方法を使用して、前記ターゲット接続条件を満たす前記ターゲットＰＤＮ接続を選択し、前記ターゲットＰＤＮ接続を使用して伝送を実行することができ、これにより、サービス伝送レイテンシを短縮し、サービス伝送品質を改善するなどのことが可能となる。
【０００７】
前記第１の態様によれば、前記第１の態様の第１の可能な実装において、前記ＰＤＮ接続の前記接続パラメータ情報は、位置エリア、サービス特徴インジケータ、及び優先順位の少なくとも１つを含み得る。前記ＰＤＮ接続の前記優先順位は、前記ターゲットＰＤＮ接続として選択されたＰＤＮ接続の優先順位である。前記ＰＤＮ接続の前記位置エリアは、セル識別リスト、物理的位置範囲、エリア識別子リスト、ルート識別子（route distinguisher）リスト、転送識別子リスト、基地局識別子などを使用して提示され得る。前記ＰＤＮ接続のサービス特徴インジケータは、前記ＰＤＮ接続の伝送レイテンシ、パケット損失率などを含み得る。
【０００８】
前記第１の態様、又は前記第１の態様の第１の可能な実装によれば、前記第１の態様の第２の可能な実装において、前記ターゲット接続条件を満たす前記ターゲットＰＤＮ接続は、以下の条件の１つ以上を満たし得る：前記ターゲットＰＤＮ接続に対応する位置エリアが、前記ユーザ機器の現在位置であるか、又は現在位置を含んでいる；前記ターゲットＰＤＮ接続に対応するサービス特徴指標が、サービスフローにより要求されるサービス特徴条件を満たしている；及び前記ターゲットＰＤＮ接続が、最も高い優先順位を有する。
【０００９】
前記第１の態様、又は前記第１の態様の第１又は第２の可能な実装によれば、前記第１の態様の第３の可能な実装において、前記少なくとも１つの既存のパケットデータネットワーク（ＰＤＮ）接続に対応する前記接続パラメータ情報は、各ＰＤＮ接続を確立するプロセスにおける制御プレーンネットワーク要素から取得されるか、または無線アクセスポイントのブロードキャストメッセージから取得されるか、または、アクセスネットワークディスカバリ及び選択機能（ANDSF）サーバから前記ユーザ機器により取得される。
【００１０】
第１の態様、又は第１の態様の第１から第３の可能な実装の内のいずれか１つによれば、前記第１の態様の第４の可能な実装において、前記ユーザ機器により、前記ターゲット接続条件を満たす前記ターゲットＰＤＮ接続の確立を開始する前記ステップは、前記ユーザ機器により、ＰＤＮ接続確立要求を制御プレーンネットワーク要素に送信するステップであり得る。前記ＰＤＮ接続確立要求は、前記ユーザ機器の現在位置を具備し、前記ユーザ機器の前記現在位置は、転送プレーンネットワーク要素の選択のために使用される。前記サービスフローにより要求される伝送レイテンシやパケット損失率などの前記サービス伝送条件又は前記サービス伝送品質も、前記確立されたターゲットＰＤＮ接続を使用して前記サービスパケットを伝送することにより、満たすことが可能となる。
【００１１】
第２の態様によれば、この明細書は、経路処理装置をさらに開示する。前記装置は、少なくとも１つの既存のパケットデータネットワーク（ＰＤＮ）接続に対応する接続パラメータ情報に基づいて、ターゲット接続条件を満たすターゲットＰＤＮ接続が前記少なくとも１つの既存のＰＤＮ接続内に存在するかどうかを判定するように構成されている判定モジュールと、前記ターゲット接続条件を満たす前記ターゲットＰＤＮ接続が存在する場合、前記ターゲットＰＤＮ接続を使用してサービスパケットを伝送するように構成されている通信モジュールと、を含み得る。前記通信モジュールは、記ターゲット接続条件を満たす前記ターゲットＰＤＮ接続が存在しない場合には、前記ターゲット接続条件を満たす前記ターゲットＰＤＮ接続の確立を開始し、前記確立されたターゲットＰＤＮ接続を使用して、サービスパケットを伝送するようにさらに構成されている。前記ターゲット接続条件は、前記経路処理装置において、予め設定されていてもよい。前記経路処理装置は、代わりに、他のモジュール又はユニットを含んでもよく、第１の態様において開示された経路処理方法の１つ又は複数のステップ又は実装を実行する。
【００１２】
第３の態様によれば、この明細書はさらに、ユーザ機器を開示する。前記ユーザ機器は、プロセッサ、メモリ、及び通信インターフェースを含み得る。プロセッサは、少なくとも１つの既存のパケットデータネットワーク（ＰＤＮ）接続に対応する接続パラメータ情報に基づいて、ターゲット接続条件を満たすターゲットＰＤＮ接続が前記少なくとも１つの既存のＰＤＮ接続内に存在するかどうかを判定するように構成されている。前記メモリは、前記少なくとも１つの既存のＰＤＮ接続に対応する前記接続パラメータ情報を格納するように構成されている。前記プロセッサは、前記ターゲット接続条件を満たす前記ターゲットＰＤＮ接続が存在する場合、前記通信インターフェース及び前記ターゲットＰＤＮ接続を使用して、サービスパケットを伝送するようにさらに構成されている。前記プロセッサは、前記ターゲット接続条件を満たす前記ターゲットＰＤＮ接続が存在しない場合には、前記通信インターフェースを使用して、前記ターゲット接続条件を満たす前記ターゲットＰＤＮ接続の確立を開始し、前記確立されたターゲットＰＤＮ接続を利用して、サービスパケットを伝送するようにさらに構成されている。前記ターゲット接続条件は、前記ユーザ機器において予め設定されていてもよい。前記ユーザ機器は、第１の態様において開示された経路処理方法の１つ又は複数のステップ又は実装をさらに実行し得る。
【００１３】
本発明の実施形態における技術的解決策をより明確に説明するために、以下で実施形態を説明するために必要な添付の図面について簡単に説明する。以下の説明における添付の図面は本発明のいくつかの実施形態を示すものにすぎず、それでもなお、当業者が創造的な努力なしにこれらの添付の図面から他の図面を得ることができることは明らかである。
【図面の簡単な説明】
【００１４】
【図１】図１は、本発明の一実施形態によるユーザ機器移動後のサービスフロー伝送経路の概略図である。
【図２】図２は、本発明の一実施形態による複数のＰＤＮ接続を有するシステムアーキテクチャの概略図である。
【図３】図３は、本発明の一実施形態による経路処理方法の概略フローチャートである。
【図４】図４は、本発明の一実施形態による経路処理装置の概略構成図である。
【図５】図５は、本発明の一実施形態によるユーザ機器の概略構成図である。
【発明を実施するための形態】
【００１５】
以下では、本発明の実施形態における添付の図面を参照しながら、本発明の実施形態における技術的ソリューションをより明確にかつ完全に説明する。明らかに、説明される実施形態は、本発明の実施形態のすべてではなく、一部分に過ぎない。創造的な取り組みなしに本発明の実施形態に基づいて当業者によって得られる他のすべての実施形態は、本発明の保護範囲に含まれるものとする。
【００１６】
図１を参照すると、図１は、本発明の一実施形態によるユーザ機器移動後のサービスフロー伝送経路の概略図である。図１に示されているユーザ機器は、携帯電話、モバイルコンピュータ、タブレットコンピュータ、パーソナルデジタルアシスタント（Personal Digital Assistant, PDA）、メディアプレーヤー、スマートテレビジョン、又はそれらのデバイスの２つ以上の組み合わせを含む、任意のモバイル又はポータブル電子デバイスであって良い。これは、本発明のこの実施形態では限定されない。図１に示されている転送プレーンネットワーク要素は、サービングゲートウェイ（Serving Gateway, S-GW）、パケットデータネットワークゲートウェイ（Packet Data Network Gateway, P-GW）、又はS-GW/P-GWの転送プレーンネットワーク要素を含み得る。サービングゲートウェイ（Serving Gateway, S-GW）は、アクセスネットワークにおけるデータアンカーであり、パケットデータをルーティング及び転送するように構成され、ローカルモビリティ管理のためのアンカーである。パケットデータネットワークゲートウェイ（Packet Data Network Gateway, P-GW）は、外部データネットワークに接続されているゲートウェイであり、アクセスネットワークと非アクセスネットワークとの間のユーザプレーンアンカーである。ユーザ機器は、外部パケットデータネットワークにアクセスするために、転送プレーンデバイスを使用して、ＰＤＮ接続を確立する必要がある。パケットデータネットワークは、インターネット、仮想プライベートネットワーク、IPマルチメディアサービスネットワーク、オペレータにより提供される無線アプリケーションプロトコルネットワークなどであり得る。S-GW/P-GWの転送プレーンネットワーク要素は、S-GW/P-GWの制御及び転送が分離された後の、転送プレーン機能を有する論理ユニットであり、ユーザパケットを転送するように構成される。図１に示されているように、ユーザ機器が移動するときにサービスパケットを伝送するためのサービスフロー伝送経路は、移動前に固定（anchored）されているサービスフロー伝送経路で、ソース転送プレーンネットワーク要素（すなわち、転送プレーンネットワーク要素１）に固定される必要がある。すなわち、サービスパケットは、転送プレーンネットワーク要素２及び転送プレーンネットワーク要素１を使用してＰＤＮネットワークに伝送される必要がある。その結果、移動後、ＰＤＮ接続を使用して開始されたサービスフロー経路は、比較的長く、サービス伝送品質が悪い。
【００１７】
上記の問題を解決するために、EPSシステムは、ユーザ機器とＰＤＮネットワークとの間の複数のＰＤＮ接続をサポートし、サービスパケットは、適切なＰＤＮ接続にマイグレートされ得、ネットワークレイテンシを短縮するとともにサービス伝送品質を改善する。図２を参照すると、図２は、本発明の一実施形態による複数のＰＤＮ接続を有するシステムアーキテクチャの概略図である。図２に示されているように、複数のＰＤＮ接続を有するシステムアーキテクチャは、ユーザ機器、現在位置でユーザ機器に関連付けられた無線アクセスポイント（無線アクセスポイントは、３Ｇ無線アクセスポイント１、４Ｇ無線アクセスポイント２、又はWi-Fi無線アクセスポイント３の少なくとも１つを含む）、制御プレーンネットワーク要素、転送プレーンネットワーク要素１、転送プレーンネットワーク要素２などを含む。無線アクセスポイントは、ユーザ機器のための無線アクセスを提供するデバイスであり、３Ｇ／４Ｇの基地局、UMTS（Universal Mobile Telecommunications System）のロングタームレボリューション（Long Term Evolution, LTE）、又はWiMAX、又はWi-Fiの無線アクセスポイントを含が、これらに限定されるわけではない。制御プレーンネットワーク要素は、モバイルネットワーク内でモビリティ管理を実行し、各ＰＤＮ接続に最適な経路を有する転送プレーンデバイスを割り当てる役割を果たすように構成される。制御プレーンネットワーク要素は、モビリティ管理エンティティ（Mobility Management Entity, MME）及びモバイルゲートウェイコントローラなどのいくつかの機能を含み得る。転送プレーンネットワーク要素は、ユーザ機器のためのIPアドレスアンカリング（anchoring）を提供するように構成され、例えば、P-GW、ルータ、又はスイッチなどの物理的又は仮想の転送デバイスである。図２に示されているように、ユーザ機器は、ＰＤＮネットワークにアクセスするために、同じ転送プレーンネットワーク要素又は複数の転送プレーンネットワーク要素を使用して、複数のＰＤＮ接続を確立し得る。複数のＰＤＮ接続のそれぞれは、１つのIPアドレスに基づいてＰＤＮネットワークにアクセスするために、ユーザ機器により使用される通信接続である。複数のＰＤＮ接続は、ユーザ機器がターゲットノードへの複数の経路を同時に有することを可能にし、例えば、ＰＤＮ接続１に基づく経路１、ＰＤＮ接続２に基づく経路２、ＰＤＮ接続３に基づく経路３、及びＰＤＮ接続４に基づく経路４である。しかし、複数のＰＤＮ接続を有するユーザ機器に対し、どのように適切なＰＤＮ接続を選択し、サービス伝送経路を最適化するとともにサービス伝送品質を改善するかが、緊急に解決される必要がある問題である。
【００１８】
上述の問題を解決するために、本発明の一実施形態は、サービス伝送経路を最適化し、サービス伝送品質を改善するための、ユーザ機器のための適切なＰＤＮ接続を選択するための経路処理方法を開示する。以下に詳細な説明を提供する。
【００１９】
図３を参照すると、図３は、本発明の一実施形態による経路処理方法の概略フローチャートである。図３に示されているように、経路処理方法は以下のステップを含み得る：
【００２０】
Ｓ１０１：ユーザ機器は、少なくとも１つの既存のパケットデータネットワーク（ＰＤＮ）接続に対応する接続パラメータ情報に基づいて、ターゲット接続条件を満たすターゲットＰＤＮ接続が少なくとも１つの既存のＰＤＮ接続内に存在するかどうかを判定する。
【００２１】
本発明のこの実施形態において、ユーザ機器の移動により、ハンドオーバが発生する場合、ユーザ機器はユーザ機器により伝送されるサービスフローのための適切な経路を選択するためにステップＳ１０１からＳ１０４を実行し得、サービスパケット伝送レイテンシを減少させるか、又はユーザ機器がモバイルハンドオーバの前に、ユーザ機器により開始されたサービスサブフローでもあり得る新たなサービスフローを開始する場合、ユーザ機器は、サービスパケット伝送レイテンシを減少させるために、新たなサービスフローのための適切な経路を選択するためにステップＳ１０１からＳ１０４を実行し得る。ユーザ機器の移動により生じたハンドオーバは、３Ｇ／４Ｇネットワーク、Wi-Fi又はWiMAXネットワークの無線アクセスポイントハンドオーバなどのセルラーネットワークにおけるセルハンドオーバを含む。これは、本発明のこの実施形態では限定されない。
【００２２】
本発明のこの実施形態において、既存のＰＤＮ接続に対応する接続パラメータ情報は、ＰＤＮ接続が満たすことができるサービス特徴インジケータ、ＰＤＮ接続に対応する位置エリア、又はＰＤＮ接続に対応する優先順位の少なくとも1つを含む。優先順位は、ターゲット接続条件を満たす複数のＰＤＮ接続がある場合、ターゲットＰＤＮ接続は、優先順位に基づいて選択されることを示すために使用される。
【００２３】
本発明のこの実施形態において、ＰＤＮ接続に対応する接続パラメータ情報は、各ＰＤＮ接続を確立するプロセスにおける制御プレーンネットワーク要素から取得されるか、又は基地局のブロードキャストメッセージから取得されるか、又は、アクセスネットワークディスカバリ及び選択機能（Access Network Discovery and Selection Function, ANDSF）サーバから取得される。例えば、各ＰＤＮ接続を確立するプロセスにおける制御プレーンネットワーク要素から接続パラメータ情報を取得するステップは、以下のステップを含み得る：ユーザ機器は、接続確立要求を無線アクセスポイント（例えば、３Ｇ／４Ｇ、LTE、又はWiMaxの基地局、又はWi-Fiの無線アクセスポイント）に送信する。接続確立要求は、ユーザ機器の現在位置情報（例えば、セル識別子、基地局識別子、又は測位のための物理位置識別子）を含む。無線アクセスポイントは、接続確立要求を制御プレーンネットワーク要素に送信する。接続確立要求を受信した後、制御プレーンネットワーク要素は、ユーザ機器の現在位置情報及び転送プレーンネットワーク要素のサービス範囲により指示される位置に基づき、ユーザ機器に対し、接続を使用して伝送されるサービスの特徴条件を満たすとともに理想的な経路を有する転送プレーンネットワーク要素を選択し、接続の位置エリア情報を判定する（位置エリア情報により示される位置範囲は、ユーザ機器の現在位置情報により示される位置を含む）。制御プレーンネットワーク要素又は転送プレーンデバイスは、転送プレーンデバイスに固定されたＰＤＮ接続アドレスをその接続に割り当てることができる。制御プレーンネットワーク要素は、接続確立応答メッセージを無線アクセスポイントに送信する。接続確立応答メッセージは、その接続の接続パラメータ情報を含む。接続の接続パラメータ情報は、IPをインデックスとして使用し、例えば、位置エリア情報、接続を使用して伝送されるサービスの特徴条件を満たすサービス特徴インジケータ、又は優先順位の任意の1つまたは複数である。
【００２４】
本発明のこの実施形態において、ＰＤＮ接続に対応する接続パラメータ情報は、関係テーブルの形態でユーザ機器に格納されてもよい。あるいは、ＰＤＮ接続と位置エリア情報との間の対応関係は、例えば、ハッシュアルゴリズムを使用することにより、別の方法で実施されてもよい。表１は、本発明の一実施形態によるユーザ機器によって決定された複数のＰＤＮ接続に対応する接続パラメータ情報の関係テーブルである。表1に示されているように、関係テーブルでは、各ＰＤＮ接続のIPアドレスは、インデックスとして使用される。IPアドレスは、ＰＤＮ接続が確立されたときに割り当てられる、又はネットワークにアクセスするために使用される論理アドレスである。各ＰＤＮ接続は、IPアドレスをインデックスとして使用する。各ＰＤＮ接続の位置エリア、各ＰＤＮ接続が満たすことができるレイテンシ及びパケット損失率などのサービス特徴インジケータ、及び各ＰＤＮ接続の優先順位は、対応して格納される。位置エリアは、ＰＤＮ接続が適用可能なエリアであり、セル識別リスト、物理的位置範囲、エリア識別子リスト、ルート識別子（distinguisher）リスト、転送識別子リスト、基地局識別子リストなどを使用して表され得る。
【００２５】
【表１】
2019500827.tif 000003
【００２６】
Ｓ１０２：ターゲット接続条件を満たすターゲットＰＤＮ接続が存在する場合、ユーザ機器は、ターゲットＰＤＮ接続を使用して、サービスパケットを伝送する。
【００２７】
本発明のこの実施形態において、ターゲット接続条件は、ユーザ機器において予め設定されてもよい。ターゲット接続条件は、少なくとも以下の１つを含み得る：ＰＤＮ接続に対応する位置エリアがユーザ機器の現在位置を含むか又はユーザ機器の現在位置である；ＰＤＮ接続のサービス特徴インジケータがサービスフローにより必要とされるサービス特徴条件を満たす；及びＰＤＮ接続が最も高い優先順位を有する。サービス特徴条件は、サービスフローにより要求される最大レイテンシ及びパケット損失率などのQCI（QoS Class Identifier）値であってもよい。QCI値は、サービスフローに提供される特定のパケット転送動作を測定するために使用される。ＰＤＮ接続の位置エリアの基地局識別子リストが、ユーザ機器の現在の基地局識別子を含む場合には、ＰＤＮ接続の位置エリアがユーザ機器の現在位置を含むことを示す。同様に、ＰＤＮ接続の物理的位置情報により示される位置エリアが、測位によりユーザ機器により得られた物理的位置情報により示される位置であるか、又は含む場合には、ＰＤＮ接続の位置エリアがユーザ機器の現在位置を含むことを示す。
【００２８】
本発明のこの実施形態において、ターゲットＰＤＮ接続を使用することによりユーザ機器により伝送されるサービスパケットは、モバイルハンドオーバする前にユーザ機器により開始されたサービスフローのパケットであっても、モバイルハンドオーバ後にユーザにより開始された新たなサービスフローのパケットであってもよい。これは、本発明のこの実施形態では限定されない。
【００２９】
Ｓ１０３：ターゲット接続条件を満たすターゲットＰＤＮ接続が存在しない場合には、ユーザ機器は、ターゲット接続条件を満たすターゲットＰＤＮ接続の確立を開始し、確立されたターゲットＰＤＮ接続を使用して、サービスパケットを伝送する。
【００３０】
本発明のこの実施形態において、ユーザ機器がターゲット接続条件を満たすターゲットＰＤＮ接続の確立を開始することは、以下のステップを含む：
【００３１】
ユーザ機器は、現在の基地局を使用して、ＰＤＮ接続確立要求を制御プレーンネットワーク要素に送信する。ＰＤＮ接続確立要求は、現在位置及び／又はユーザ機器のサービス特徴条件を含む。制御プレーンネットワーク要素は、現在位置及び／又はユーザ機器のサービス特徴条件に基づいてユーザ機器のための転送プレーンネットワーク要素を選択する。転送プレーンネットワーク要素又は制御プレーンネットワーク要素は、ＰＤＮ接続にIPアドレスを割り当てる。これに対応して、ユーザ機器は、基地局を使用して制御プレーンネットワーク要素により返されたＰＤＮ接続確立応答メッセージを受信し得る。ＰＤＮ接続確立応答メッセージは、ＰＤＮ接続のIPアドレスを含み、位置エリア、サービス特徴インジケータ、及びＰＤＮ接続に対応する優先順位の少なくとも1つをさらに含む。
【００３２】
このように、図３に示されている経路処理方法において、ユーザ機器は、少なくとも１つの既存のパケットデータネットワーク（ＰＤＮ）接続に対応する接続パラメータ情報に基づいて、少なくとも１つの既存のＰＤＮ接続が、ターゲット接続条件を満たすターゲットＰＤＮ接続を含むかどうかを判定し、ターゲット接続条件を満たすターゲットＰＤＮ接続が存在する場合、ユーザ機器は、ターゲットＰＤＮ接続を使用して、サービスパケットを伝送するか、又はターゲット接続条件を満たすターゲットＰＤＮ接続が存在しない場合には、ユーザ機器は、ターゲット接続条件を満たすターゲットＰＤＮ接続の確立を開始し、確立されたターゲットＰＤＮ接続を使用して、サービスパケットを伝送し得る。このように、本発明のこの実施形態において、サービスパケットが伝送される場合、サービスパケットは、ターゲット接続条件を満たすターゲットＰＤＮ接続を使用して伝送され得、これにより、サービス伝送レイテンシを短縮し、サービス伝送品質を改善するなどのことが可能となる。
【００３３】
例えば、モバイルハンドオーバ後にユーザ機器により維持されている複数のＰＤＮ接続が図２に示されている。ハンドオーバの前に、ユーザ機器のサービスフローのサービスパケットが図２のＰＤＮ接続２を使用して伝送される。ハンドオーバ後に、ユーザ機器は、本実施形態における経路処理方法を使用して、サービスフローのサービス伝送のためにＰＤＮ接続３を使用することを決定し得る。ＰＤＮ接続３は、転送プレーンデバイス３を使用してＰＤＮネットワークに直接接続し得るため、サービスフローのサービス伝送レイテンシが減少される。ユーザ機器が新たなサービスフローを開始する場合には、ＰＤＮ接続に対応する位置エリアが、ユーザ機器の現在位置であるか、又はユーザ機器の現在位置を含むというターゲット接続条件を満たすＰＤＮ接続は、ＰＤＮ接続３及びＰＤＮ接続４を含む。ＰＤＮ接続３及びＰＤＮ接続４において、ＰＤＮ接続４は、ＰＤＮ接続に対応するサービス特徴インジケータが、新たなサービスフローにより要求されるサービス特徴条件を満たすか、又はＰＤＮ接続が、比較的高い優先順位を有する、というターゲット接続条件を満たす。ユーザ機器は、ＰＤＮ接続４を使用して新たなサービスフローのためのサービスパケット伝送を実行して、新たなサービスフローにより要求される伝送レイテンシ又はパケット損失率などのサービス伝送品質に達することができる。任意選択的に、ＰＤＮ接続３及びＰＤＮ接続４に対応するサービス特徴インジケータのいずれも新たなサービスフローにより要求されるサービス特徴条件を満たさないならば、ユーザ機器は、制御プレーンネットワーク要素に接続確立要求を送信することにより、ターゲット接続条件を満たすターゲットＰＤＮ接続を確立し、確立されたターゲットＰＤＮ接続を使用してサービスパケットを伝送でき、新たなサービスフローに要求される伝送レイテンシ又はパケット損失率などのサービス伝送品質に達する。
【００３４】
図４を参照すると、図４は、本発明の一実施形態による経路処理装置の概略構成図である。図４に示されているように、経路処理装置は、判定モジュール２１０及び通信モジュール２２０を含み得る。
【００３５】
判定モジュール２１０は、少なくとも１つの既存のパケットデータネットワーク（ＰＤＮ）接続に対応する接続パラメータ情報に基づいて、ターゲット接続条件を満たすターゲットＰＤＮ接続が少なくとも１つの既存のＰＤＮ接続内に存在するかどうかを判定するように構成されている。
【００３６】
通信モジュール２２０は、ターゲット接続条件を満たすターゲットＰＤＮ接続が存在する場合、ターゲットＰＤＮ接続を使用してサービスパケットを伝送するように構成されている。
【００３７】
通信モジュール２２０は、ターゲット接続条件を満たすターゲットＰＤＮ接続が存在しない場合には、ターゲット接続条件を満たすターゲットＰＤＮ接続の確立を開始し、確立されたターゲットＰＤＮ接続を使用して、サービスパケットを伝送するようにさらに構成されている。
【００３８】
本発明のこの実施形態において、接続パラメータ情報は、位置エリア、サービス特徴インジケータ、及び優先順位の少なくとも１つを含み得る。優先順位は、ターゲットＰＤＮ接続として選択されたＰＤＮ接続の優先順位である。ターゲット接続条件を満たすターゲットＰＤＮ接続は、以下の条件の１つ以上を満たす：ターゲットＰＤＮ接続に対応する位置エリアは、経路処理装置のユーザ機器の現在位置であるか、現在位置を含む；ターゲットＰＤＮ接続に対応するサービス特徴指標は、サービスフローにより要求されるサービス特徴条件を満たす；ターゲットＰＤＮ接続は、最も高い優先順位を有する。
【００３９】
本発明のこの実施形態において、少なくとも１つの既存のパケットデータネットワーク（ＰＤＮ）接続に対応する接続パラメータ情報は、各ＰＤＮ接続を確立する処理において制御プレーンネットワーク要素から取得されるか、又は無線アクセスポイントのブロードキャストメッセージから取得されるか、又はアクセスネットワークディスカバリ及び選択機能（ANDSF）サーバから、ユーザ機器により取得される。
【００４０】
本発明のこの実施形態において、通信モジュール２２０が、ターゲット接続条件を満たすターゲットＰＤＮ接続の確立を開始することは、具体的には、通信モジュール２２０がＰＤＮ接続確立要求を制御プレーンネットワーク要素に送信することであり得る。ＰＤＮ接続確立要求は、ユーザ機器の現在位置を含み、ユーザ機器の現在位置は、転送プレーンネットワーク要素を選択するために使用される。ＰＤＮ接続確立要求は、サービスフローにより要求されるサービス特徴条件をさらに含み得る。
【００４１】
本発明のこの実施形態において、経路処理装置は、図３に示されている経路処理方法の１つ又は複数のステップ又は実装を実行し得る。これは、本発明のこの実施形態では限定されない。
【００４２】
図５を参照すると、図５は、本発明の一実施形態によるユーザ機器の概略構成図である。図５に示されているように、ユーザ機器は、プロセッサ３１０、メモリ３２０、及び通信インターフェース３３０を含み得る。当業者は、図５に示されているユーザ機器の構造は本発明の限定を構成するものではないことは理解し得る。ユーザ機器は、バス構造又はスター構造であってもよく、図において示されているものより多くの又は少ないコンポーネントを含んでいてもよく、又はいくつかのコンポーネントが組み合わされてもよく、又は異なるコンポーネント配置が用いられてもよい。
【００４３】
本発明の一実施形態では、プロセッサ３１０はユーザ機器の制御センターであり、様々なインターフェース及び回路を使用してユーザ機器の様々な部分を接続する。プロセッサは、記憶装置に格納されたソフトウェアプログラム及び／又はモジュールを起動又は実行し、記憶装置に格納されたデータを呼び出し、電子デバイスの様々な機能及び／又はデータ処理を実施する。プロセッサ３１０は、集積回路（Integrated Circuit, 略してIC）を含み得、例えば、単一パッケージ化ICを含み得、又は接続される同じ又は異なる機能を有する複数のパッケージ化ICを含み得る。例えば、プロセッサ３１０は、中央処理ユニット（Central Processing Unit, 略してCPU）のみを含んでもよく、又はGPU、デジタル信号プロセッサ（Digital Signal Processor, 略してDSP）、及び通信ユニットの制御コア（例えばベースバンドコア）の組み合わせであってもよい。本発明の一実施形態では、CPUは、単一のコンピュータコアを含み得、又は複数のコンピューティングコアを含んでもよい。
【００４４】
本発明の一実施形態では、メモリ３２０は、ソフトウェアプログラム及びモジュールを格納するように構成され得る。プロセッサ３１０は、メモリ３２０に格納されているソフトウェアプログラム及びモジュールを実行し、ユーザ機器の様々な機能アプリケーション及びデータ処理を実施する。メモリ３２０は主にプログラム格納領域及びデータ格納領域を含む。プログラム格納領域は、経路処理プログラムなどの少なくとも1つの機能により要求されるオペレーティングシステム及びアプリケーションプログラムを格納し得る。データ格納領域は、ユーザ機器の使用に基づいて生成されたデータ等を格納し得る。本発明の特定の実施形態において、本発明の特定の実施形態におけるメモリ３２０は、揮発性メモリ、例えば、不揮発性ダイナミックランダムアクセスメモリ（Nonvolatile Random Access Memory, 略してNVRAM）、相変化ランダムアクセスメモリ（Phase Change RAM, 略してPRAM）、磁気抵抗ランダムアクセスメモリ（Magnetoresistive RAM, 略してMRAM）などを含み得、不揮発性メモリ、例えば、少なくとも１つの磁気ディスク記憶デバイス、電気的消去可能なプログラマブル読み取り専用メモリ（Electrically Erasable Programmable Read-Only Memory, 略してEEPROM）、又はNORフラッシュメモリ（NOR flash memory）ならびにNAND フラッシュメモリ（NAND flash memory）などのフラッシュメモリデバイスをさらに含んでもよい。不揮発性メモリは、処理ユニットにより実行されるオペレーティングシステム及びを格納する。プロセッサ３１０は、実行中のプログラム及びデータを不揮発性メモリからメモリにロードし、デジタルコンテンツを大容量記憶装置に格納する。オペレーティングシステムは、メモリ管理、記憶装置制御、及び電源管理などのルーチンシステムタスクを制御及び管理するように構成された、様々なソフトウェアとハードウェアとの間の通信を容易にする様々なコンポーネント及び／又はドライブを含む。本発明の一実施形態では、オペレーティングシステムは、Google（登録商標）により開発されたAndroid（登録商標）システム、Apple（商標）により開発されたiOSシステム、Microsoft（登録商標）により開発されたWindows（登録商標）オペレーティングシステム又はVxworksといった組み込みオペレーティングシステムであり得る。
【００４５】
本発明の一実施形態では、通信インターフェース３３０は、通信チャネルを確立し、通信チャネルを使用してユーザ機器がリモートサーバに接続し、リモートサーバからデータをダウンロードするように構成されている。通信インターフェース３３０は、無線ローカルエリアネットワーク（Wireless Local Area Network, 略して無線LAN）モジュール、Bluetooth（登録商標）モジュール、またはベースバンド（Base Band）モジュール、及び通信モジュールに対応するラジオ周波数（Radio Frequency, 略してRF）回路などの通信モジュールを含んでよく、無線ローカルエリアネットワーク通信、Bluetooth（登録商標）通信、赤外線通信、及び／又は例えば、広帯域符号分割多元接続（Wideband Code Division Multiple Access, 略してW-CDMA（登録商標））及び／又は高速ダウンリンクパケット接続（High Speed Downlink Packet Access, 略してHSDPA）などのセルラー通信システムの通信、を実行するように構成されている。通信モジュールは、電子デバイスの構成要素の通信を制御するように構成され、ダイレクトメモリアクセス（Direct Memory Access）をサポートする。
【００４６】
本発明の一実施形態では、プロセッサ３１０は、少なくとも１つの既存のパケットデータネットワーク（ＰＤＮ）接続に対応する接続パラメータ情報に基づいて、ターゲット接続条件を満たすターゲットＰＤＮ接続が少なくとも１つの既存のＰＤＮ接続内に存在するかどうかを判定するように構成されている。メモリ３２０は、少なくとも１つの既存のＰＤＮ接続に対応する接続パラメータ情報を格納するように構成され得る。プロセッサ３１０は、ターゲット接続条件を満たすターゲットＰＤＮ接続が存在する場合、通信インターフェース３３０及びターゲットＰＤＮ接続を使用して、サービスパケットを伝送するようにさらに構成されている。プロセッサ３１０は、ターゲット接続条件を満たすターゲットＰＤＮ接続が存在しない場合には、通信インターフェース３３０を使用して、ターゲット接続条件を満たすターゲットＰＤＮ接続の確立を開始して、確立されたターゲットＰＤＮ接続を使用して、サービスパケットを伝送するようにさらに構成されている。
【００４７】
接続パラメータ情報は、位置エリア、サービス特徴インジケータ、及び優先順位の少なくとも1つを含む。優先順位は、ターゲットＰＤＮ接続として選択されたＰＤＮ接続の優先順位である。ターゲット接続条件を満たすターゲットＰＤＮ接続は、以下の条件の１つ以上を満たす：ターゲットＰＤＮ接続に対応する位置エリアは、ユーザ機器の現在位置であるか、又はユーザ機器の現在位置を含む；ターゲットＰＤＮ接続に対応するサービス特徴指標は、サービスフローにより要求されるサービス特徴条件を満たす；及びターゲットＰＤＮ接続は、最も高い優先順位を有する。
【００４８】
本発明のこの実施形態において、少なくとも１つの既存のパケットデータネットワーク（ＰＤＮ）接続に対応する接続パラメータ情報は、各ＰＤＮ接続を確立する処理において制御プレーンネットワーク要素から取得されるか、又は無線アクセスポイントのブロードキャストメッセージから取得されるか、又はアクセスネットワークディスカバリ及び選択機能（ANDSF）サーバから、ユーザ機器により取得される。
【００４９】
本発明のこの実施形態において、プロセッサ３１０が、通信インターフェース３３０を使用して、ターゲット接続条件を満たすターゲットＰＤＮ接続の確立を開始することは、プロセッサ３１０は、通信インターフェース３３０を使用して、ＰＤＮ接続確立要求を制御プレーンネットワーク要素に送信することであり得る。ＰＤＮ接続確立要求は、ユーザ機器の現在位置を含み得、ユーザ機器の現在位置は、転送プレーンネットワーク要素を選択するために使用される。
【００５０】
本発明のこの実施形態において、ユーザ機器内のプロセッサ３１０は、図３に示されている経路処理方法の1つまたは複数のステップ又は実装を実行し得る。これは、本発明のこの実施形態では限定されない。
【００５１】
一実施形態では、本発明の実施形態は、さらに、コンピュータ記憶媒体がコンピュータプログラムを記憶する、コンピュータ記憶媒体を開示する。コンピュータ記憶媒体のコンピュータプログラムがコンピュータに読み込まれると、本発明の実施形態に記載の経路処理方法の全ステップをコンピュータに実行させることができる。
【００５２】
簡単な説明のために、前述の方法の実施形態は、一連の動作として表されることに留意されたい。しかし、本発明によれば、いくつかのステップが他の順序で、または同時に実行され得るため、本発明は、記述された動作の順序に限定されないことを、当業者は理解すべきである。加えて、当業者であれば、明細書に記載された全ての実施形態は例示的な実施形態であり、関連する動作及びモジュールは必ずしも本発明に必須ではないことを理解されたい。
【００５３】
当業者であれば、実施形態の方法のステップの全てまたは一部を、関連するハードウェアを指示するプログラムによって実施することができることを理解し得る。プログラムは、コンピュータ可読記憶媒体に格納されてよい。記憶媒体は、フラッシュメモリ、読み出し専用メモリ（Read-Only Memory, ROM）、ランダムアクセスメモリ（Random Access Memory, RAM）、磁気ディスク、及び光ディスクを含み得る。
【００５４】
以上、本発明の実施形態に係る経路処理方法及び装置並びにユーザ機器について詳細に説明した。本明細書では、特定の例を用いて本発明の原理および実施形態を説明しているが、実施形態の説明は、本発明の方法およびコア思想の理解を助けとなることのみを目的とする。さらに、当業者であれば、本発明の思想に基づいて、特定の実施態様および適用範囲に関して修正を加えることができる。従って、本明細書の内容は、本発明の限定と解釈されるべきではない。
【符号の説明】
【００５５】
２１０  判定モジュール
２２０  通信モジュール
３１０  プロセッサ
３２０  メモリ
３３０  通信インターフェース
【図１】
2019500827.tif 000004
【図２】
2019500827.tif 000005
【図３】
2019500827.tif 000006
【図４】
2019500827.tif 000007
【図５】
2019500827.tif 000008
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
経路処理方法であって、
少なくとも１つの既存のパケットデータネットワーク（ＰＤＮ）接続に対応する接続パラメータ情報に基づいて、ユーザ機器により、前記ユーザ機器がターゲット接続条件を満たすターゲットＰＤＮ接続を有しているかどうかを判定するステップと、
前記ユーザ機器がターゲット接続条件を満たす前記ターゲットＰＤＮ接続を有する場合、前記ユーザ機器により、前記ターゲットＰＤＮ接続を使用してサービスパケットを伝送するステップと、又は前記ユーザ機器が前記ターゲット接続条件を満たす前記ターゲットＰＤＮ接続を有していない場合には、前記ユーザ機器により、前記ターゲット接続条件を満たす前記ターゲットＰＤＮ接続の確立を開始し、前記確立されたターゲットＰＤＮ接続を使用してサービスパケットを伝送するステップと、
を具備することを特徴とする経路処理方法。
【請求項２】
前記接続パラメータ情報は、ＰＤＮ接続のサービス特徴インジケータを具備することを特徴とする請求項１に記載の方法。
【請求項３】
前記ターゲットＰＤＮ接続は、サービス特徴インジケータがサービスフローに要求されるサービス特徴条件を満たすＰＤＮ接続であることを特徴とする請求項２に記載の方法。
【請求項４】
前記サービス特徴インジケータは、ＰＤＮ接続のレイテンシを具備することを特徴とする請求項２又は３に記載の方法。
【請求項５】
前記接続パラメータ情報は、前記ＰＤＮ接続に対応する位置エリアを具備することを特徴とする請求項１から４のいずれか一項に記載の方法。
【請求項６】
前記ＰＤＮ接続に対応する前記位置エリアが、前記ユーザ機器の現在位置であるか、又は前記ユーザ機器の現在位置を含む場合に前記ターゲットＰＤＮ接続は、ＰＤＮ接続であることを特徴とする請求項５に記載の方法。
【請求項７】
前記接続パラメータ情報は、前記ターゲットＰＤＮ接続として選択されたＰＤＮ接続の優先順位を具備することを特徴とする請求項１から６のいずれか一項に記載の方法。
【請求項８】
前記ターゲットＰＤＮ接続は、最も高い優先順位を有するＰＤＮ接続であることを特徴とする請求項７に記載の方法。
【請求項９】
前記少なくとも１つの既存のＰＤＮ接続に対応する前記接続パラメータ情報は、各ＰＤＮ接続を確立するプロセスにおける制御プレーンネットワーク要素から取得されるか、または無線アクセスポイントのブロードキャストメッセージから取得されるか、または、アクセスネットワークディスカバリ及び選択機能（ANDSF）サーバから前記ユーザ機器により取得されることを特徴とする請求項１から８のいずれか一項に記載の方法。
【請求項１０】
前記ターゲット接続条件を満たす前記ターゲットＰＤＮ接続の前記確立を開始するステップは、
前記ユーザ機器により、ＰＤＮ接続確立要求を制御プレーンネットワーク要素に送信するステップであって、前記ＰＤＮ接続確立要求は、前記ユーザ機器の現在位置を具備し、前記ユーザ機器の前記現在位置は、転送プレーンネットワーク要素の選択のために使用される、ステップ
を具備することを特徴とする請求項１から９のいずれか一項に記載の方法。
【請求項１１】
装置であって、
プロセッサと、
前記プロセッサにより実行されるプログラムを格納したメモリと、
を具備し、前記プログラムは、プロセッサに、
ユーザ機器（ＵＥ）がターゲット接続条件を満たすターゲットＰＤＮ接続を有しているかどうかを、少なくとも１つの既存のパケットデータネットワーク（ＰＤＮ）接続に対応する接続パラメータ情報に基づいて判定することと、
前記ＵＥが、前記ターゲット接続条件を満たす前記ターゲットＰＤＮ接続を有している場合、通信インターフェース及び前記ターゲットＰＤＮ接続を使用してサービスパケットを伝送し、前記ＵＥが、前記ターゲット接続条件を満たす前記ターゲットＰＤＮ接続を有しない場合には、前記ターゲット接続条件を満たす前記ターゲットＰＤＮ接続の確立を開始し、前記確立されたターゲットＰＤＮ接続を使用してサービスパケットを伝送することと、
をさせる命令を具備することを特徴とする装置。
【請求項１２】
前記接続パラメータ情報は、ＰＤＮ接続のサービス特徴インジケータを具備することを特徴とする請求項１１に記載の装置。
【請求項１３】
前記ターゲットＰＤＮ接続は、サービス特徴インジケータがサービスフローにより要求されるサービス特徴条件を満たすＰＤＮ接続であることを特徴とする請求項１２に記載の装置。
【請求項１４】
前記サービス特徴インジケータは、前記ＰＤＮ接続のレイテンシを具備することを特徴とする請求項１２又は１３に記載の装置。
【請求項１５】
前記接続パラメータ情報は、ＰＤＮ接続に対応する位置エリアを具備することを特徴とする請求項１１から１４のいずれか一項に記載の装置。
【請求項１６】
前記ターゲットＰＤＮ接続は、前記ＰＤＮ接続に対応する前記位置エリアが前記ユーザ機器の現在位置であるか、又は前記ユーザ機器の現在位置を具備する場合のＰＤＮ接続であることを特徴とする請求項１５に記載の装置。
【請求項１７】
前記接続パラメータ情報は、前記ターゲットＰＤＮ接続により選択されたＰＤＮ接続の優先順位を具備することを特徴とする請求項１１から１６のいずれか一項に記載の装置。
【請求項１８】
前記ターゲットＰＤＮ接続は、最も高い優先順位を有するＰＤＮ接続であることを特徴とする請求項１７に記載の装置。
【請求項１９】
前記少なくとも１つの既存のＰＤＮ接続に対応する前記接続パラメータ情報は、各ＰＤＮ接続を確立するプロセスにおける制御プレーンネットワーク要素から取得されるか、または無線アクセスポイントのブロードキャストメッセージから取得されるか、または、アクセスネットワークディスカバリ及び選択機能（ANDSF）サーバから前記ユーザ機器により取得されることを特徴とする請求項１１から１８のいずれか一項に記載の装置。
【請求項２０】
前記ターゲット接続条件を満たす前記ターゲットＰＤＮ接続の確立を開始するために、前記プロセッサは、ＰＤＮ接続確立要求を制御プレーンネットワーク要素に送信するように構成され、前記ＰＤＮ接続確立要求は、前記ユーザ機器の現在位置を具備し、前記ユーザ機器の前記現在位置は、転送プレーンネットワーク要素の選択のために使用されることを特徴とする請求項１１から１９のいずれか一項に記載の装置。
【国際調査報告】
2019500827.tif 000009
2019500827.tif 000010
2019500827.tif 000011
2019500827.tif 000012